(57)【要約】  表示装置（１）は、表示パネル（２）のリフレッシュレートの変更指示を受け取った場合、正極のソース信号が書き込まれている時間と、負極のソース信号が書きこまれている時間とが平衡するタイミングで、上記リフレッシュレートを変更する。
2013125406.tif 000002
【特許請求の範囲】
【請求項１】
複数の画素を有する表示パネルを駆動する駆動装置であって、
前記表示パネルの少なくとも１つの画素に対して、正極のソース信号と負極のソース信号とを１または複数のフレーム単位で交互に書き込みを行っている際に、前記表示パネルのリフレッシュレートの変更指示を受け取った場合、前記少なくとも１つの画素において、前記正極のソース信号が書き込まれている時間と、前記負極のソース信号が書きこまれている時間とが平衡するタイミングで、前記リフレッシュレートを変更するリフレッシュレート変更手段
を備えることを特徴とする駆動装置。
【請求項２】
前記リフレッシュレート変更手段は、
前記少なくとも１つの画素において、前記正極のソース信号が書き込まれている時間と前記負極のソース信号が書き込まれている時間との差が、予め定められた時間よりも短くなるタイミングで、前記リフレッシュレートを変更する
ことを特徴とする請求項１に記載の駆動装置。
【請求項３】
前記リフレッシュレート変更手段は、
前記少なくとも１つの画素において、前記正極のソース信号が書き込まれている時間と前記負極のソース信号の書き込まれている時間とが等しくなるタイミングで、前記リフレッシュレートを変更する
ことを特徴とする請求項２に記載の駆動装置。
【請求項４】
前記リフレッシュレート変更手段は、
前記正極のソース信号と前記負極のソース信号とを１フレーム単位で交互に書き込むフレーム反転駆動時において、前記変更指示を受け取った場合、前記正極のソース信号が書き込まれた回数と前記負極のソース信号が書き込まれた回数との合計数が偶数となるタイミングで、前記リフレッシュレートを変更する
ことを特徴とする請求項３に記載の駆動装置。
【請求項５】
前記リフレッシュレート変更手段は、
前記変更指示を受け取った場合、前記正極のソース信号が書き込まれたフレーム数と当該正極のソース信号が保持されたフレーム数との合計数と、前記負極のソース信号が書き込まれたフレーム数と当該負極のソース信号が保持されたフレーム数との合計数とが等しくなるタイミングで、前記リフレッシュレートを変更する
ことを特徴とする請求項３に記載の駆動装置。
【請求項６】
前記リフレッシュレート変更手段は、
前記正極のソース信号と前記負極のソース信号とを１フレーム単位で交互に書き込むフレーム反転駆動時において、前記変更指示を受け取ったときに、前記正極のソース信号が書き込まれているフレーム数と前記負極のソース信号が書き込まれているフレーム数とが等しくない場合、前記変更のタイミングを１フレーム遅延させる
ことを特徴とする請求項３に記載の駆動装置。
【請求項７】
前記リフレッシュレート変更手段は、
前記正極のソース信号と前記負極のソース信号とをＮフレーム単位で交互に書き込むフレーム反転駆動時において、前記変更指示を受け取ったときに、前記正極のソース信号が書き込まれているフレーム数と前記負極のソース信号が書き込まれているフレーム数とが等しくない場合、前記変更のタイミングを２Ｎの倍数となるフレームまで遅延させる
ことを特徴とする請求項３に記載の駆動装置。
【請求項８】
前記リフレッシュレート変更手段は、
前記リフレッシュレートの変更を行ったフレームの次のフレームに、前記変更指示を受け取った場合、当該変更指示による前記リフレッシュレートの変更は行わない
ことを特徴とする請求項３から７のいずれか一項に記載の駆動装置。
【請求項９】
前記リフレッシュレート変更手段は、
前記表示パネルの駆動を休止する休止期間を設けることにより、前記リフレッシュレートを低下させる
ことを特徴とする請求項１から８のいずれか一項に記載の駆動装置。
【請求項１０】
複数の画素を有する表示パネルと、
請求項１から９のいずれか一項に記載の駆動装置を備えたことを特徴とする表示装置。
【請求項１１】
前記複数の画素の各々のＴＦＴの半導体層には、酸化物半導体が用いられていることを特徴とする請求項１０に記載の表示装置。
【請求項１２】
前記酸化物半導体は、ＩＧＺＯであることを特徴とする請求項１１に記載の表示装置。
【発明の詳細な説明】
【技術分野】
【０００１】
本発明は、駆動装置および表示装置に関する。
【背景技術】
【０００２】
近年、液晶表示装置に代表される薄型、軽量、および低消費電力の表示装置が盛んに活用されている。このような表示装置は、例えば、電子書籍端末、スマートフォン、携帯電話、タブレット端末、ＰＤＡ（携帯型情報端末）、ラップトップ型パーソナルコンピュータ、携帯ゲーム機、カーナビゲーション装置等への搭載が顕著である。また、今後はより薄型の表示装置である電子ペーパーの開発および普及も急速に進むことが期待されている。このような状況の中、各種の表示装置においては、消費電力を低下させることや、表示画質を向上させることが共通の課題となっている。【０００３】
そこで、従来、表示装置に関し、このような課題を解決することを目的とした様々な技術が考案されている。【０００４】
例えば、表示画質をより高めるため、リフレッシュレートを上げるといった技術が用いられている。例えば、動画を表示する際に、リフレッシュレートを「６０Ｈｚ（すなわち、６０ｆｐｓ）」から「１２０Ｈｚ（すなわち、１２０ｆｐｓ）」に上げることにより、より滑らかな動きを表現することができるとともに、フリッカなどの表示不具合の発生を抑制することができる。【０００５】
しかしながら、リフレッシュレートが高まるにつれて、その分表示パネルを駆動する回数が増加するため、消費電力が増加することとなる。このため、消費電力の低減を重視する場合には、反対に、リフレッシュレートを下げるといった技術が用いられている。【０００６】
その具体例として、下記特許文献１には、擬似輪郭が発生しやすい時またはそれが目立つ映像表示時には、積極的にリフレッシュレートを高速化して画質を改善し、擬似輪郭が発生しにくい場合または発生しても目立たない映像の場合には、積極的にリフレッシュレートを下げて低消費電力化する技術が開示されている。
【先行技術文献】
【特許文献】
【０００７】
【特許文献１】日本国公開特許公報「特開２０１０−１４５８１０号公報（公開日：２０１０年７月１日）」
【発明の概要】
【発明が解決しようとする課題】
【０００８】
（従来の表示装置によるリフレッシュレートの変更例）
ここで、図８を参照して、従来の表示装置によるリフレッシュレートの変更例を説明する。図８は、従来の表示装置によるリフレッシュレートの変更例を示す概念図である。【０００９】
図８は、従来の表示装置のある画素に対して、その電圧値が基準電圧よりも正極側のソース信号（以下、「正極データ」と示す。）およびその電圧値が基準電圧よりも負極のソース信号（以下、「負極データ」と示す。）のいずれが書き込まれるかをフレーム期間毎に示したものである。図８において、「＋」が示されているフレーム期間は、そのフレーム期間では上記画素に対して正極データが書き込まれることを示し、「−」が示されているフレーム期間は、そのフレーム期間では上記画素に対して負極データが書き込まれることを示している。特に、図８に示す例では、従来の表示装置において、極性反転の時間的周期として「１フレーム毎」が採用されている。したがって、図８に示す例では、上記画素の極性は、“＋，−，＋，−，・・・”というように、１フレーム毎に反転している。【００１０】
この図８に例示するように、従来の表示装置では、リフレッシュレートの変更指示を受けたタイミングで、直ちにリフレッシュレートを変更する。【００１１】
例えば、図８に示す例では、従来の表示装置は、第３フレームの終了後（タイミングｔ１）に、リフレッシュレートを３０Ｈｚから６０Ｈｚへ変更するように指示を受けている。これに応じて、従来の表示装置は、リフレッシュレートを直ちに６０Ｈｚへ変更する。これにより、第４フレーム以降のリフレッシュレートが６０Ｈｚとなる。【００１２】
ここで、第３フレームの終了時点において、正極のソース信号の書き込み回数は「２」であるのに対し、負極のソース信号の書き込み回数は「１」である。すなわち、第３フレームの終了時点において、画素の極性が正極となっている時間と、画素の極性が負極となっている時間との間に、「２／６０秒」の差が生じてしまう。以降はリフレッシュレートが変更されるために、従来の表示装置は、この時間差を解消することはできない。例えば、第４フレームに負極のソース信号を書き込まれたとしても、その期間は「１／６０秒」であるために、依然として、「１／６０秒」の上記時間差が生じたままとなる。このような時間差（すなわち、極性の偏り）は、焼き付き等の表示不具合が発生する要因となる。【００１３】
本発明は、前記の問題に鑑みてなされたものであり、その目的は、リフレッシュレートの変更に伴う表示不具合が発生し難い表示装置を提供することにある。
【課題を解決するための手段】
【００１４】
上述した課題を解決するため、本発明の一態様に係る駆動装置は、複数の画素を有する表示パネルを駆動する駆動装置であって、前記表示パネルの少なくとも１つの画素に対して、正極のソース信号と負極のソース信号とを１または複数のフレーム単位で交互に書き込みを行っている際に、前記表示パネルのリフレッシュレートの変更指示を受け取った場合、前記少なくとも１つの画素において、前記正極のソース信号が書き込まれている時間と、前記負極のソース信号が書きこまれている時間とが平衡するタイミングで、前記リフレッシュレートを変更するリフレッシュレート変更手段を備えることを特徴とする。【００１５】
また、本発明の一態様に係る表示装置は、複数の画素を有する表示パネルと、上記駆動装置を備えたことを特徴とする。
【発明の効果】
【００１６】
本発明の一態様によれば、表示パネルのリフレッシュレートを変更した場合であっても、表示パネルの各画素において、正極データが書き込まれている時間と、負極データが書き込まれている時間とが等しくなるため、すなわち、各画素における極性の偏りが生じないため、リフレッシュレートの変更に伴う焼き付き等の表示不具合が発生し難い表示装置を提供することができる。
【図面の簡単な説明】
【００１７】
【図１】実施形態に係る表示装置の全体構成を示す図である。
【図２】極性反転方式「ドット反転」によりソース信号が書き込まれた状態の表示パネルを示す図である。
【図３】極性反転方式「ソース反転」によりソース信号が書き込まれた状態の表示パネルを示す図である。
【図４】実施形態に係る表示装置によるリフレッシュレートの変更例を示す概念図である。
【図５】実施形態に係る表示装置によるリフレッシュレートの他の変更例を示す概念図である。
【図６】実施形態に係る表示装置よるリフレッシュレートのさらに他の変更例を示す概念図である。
【図７】酸化物半導体を用いたＴＦＴを含む、各種ＴＦＴの特性を示す図である。
【図８】従来の表示装置によるリフレッシュレートの変更例を示す概念図である。
【図９】実施形態に係る表示装置による、各種条件に応じた判定方法の具体例を示す。
【発明を実施するための形態】
【００１８】
本発明に係る実施形態について、図面を参照して以下に説明する。
【００１９】
（表示装置の構成）
はじめに、図１を参照して、実施形態に係る表示装置１の構成例について説明する。図１は、実施形態１に係る表示装置１の全体構成を示す図である。
【００２０】
図１に示すように、表示装置１は、表示パネル２、ディスプレイ駆動回路１０、および電源生成回路２８を備えている。このうち、ディスプレイ駆動回路１０は、タイミングコントローラ１２、走査線駆動回路１４、信号線駆動回路１６、および共通電極駆動回路１８を備えている。
【００２１】
この表示装置１は、電子書籍端末、スマートフォン、携帯電話、ＰＤＡ、ラップトップ型パーソナルコンピュータ、携帯ゲーム機、カーナビゲーション装置等において、各種情報を表示するための表示装置として搭載されるものである。本実施形態では、表示装置１としてアクティブマトリクス型の液晶表示装置を採用している。したがって、本実施形態の表示パネル２は、アクティブマトリクス型の液晶表示パネルであり、上記したその他の構成要素は、このような液晶表示パネルを駆動するように構成されている。
【００２２】
（表示パネル）
表示パネル２は、複数の画素、複数のゲート信号ラインＧ、および複数のソース信号ラインＳを備えている。
【００２３】
複数の画素は、複数の画素列および複数の画素行からなる、いわゆる格子状に配設されている。
【００２４】
複数のゲート信号ラインＧは、画素列方向（画素列に沿った方向）に並設されている。複数のゲート信号ラインＧの各々は、複数の画素行のうちの対応する画素行の各々の画素に対して電気的に接続されている。
【００２５】
複数のソース信号ラインＳは、画素行方向（画素行に沿った方向）に並設されており、いずれも複数のゲート信号ラインＧの各々と直交している。複数のソース信号ラインＳの各々は、複数の画素列のうちの対応する画素列の各々の画素に対して電気的に接続されている。
【００２６】
図１に示す例では、表示パネル２には、Ｎ列×Ｍ行に配設された複数の画素が設けられていることに応じて、Ｎ本のソース信号ラインＳ、およびＭ本のゲート信号ラインＧが設けられている。
【００２７】
（走査線駆動回路）
走査線駆動回路１４は、複数のゲート信号ラインＧを順次選択して走査する。具体的には、走査線駆動回路１４は、複数のゲート信号ラインＧを順次選択し、選択したゲート信号ラインＧに対して、当該ゲート信号ラインＧ上の各画素に備えられたスイッチング素子（ＴＦＴ）をオンに切り替えるためのオン電圧を供給する。
【００２８】
（信号線駆動回路）
信号線駆動回路１６は、ゲート信号ラインＧが選択されている間、そのゲート信号ラインＧ上の各画素に対して、対応するソース信号ラインＳから、画像データに応じたソース信号を供給する。具体的に説明すると、信号線駆動回路１６は、入力された映像信号に基づいて、選択されたゲート信号ラインＧ上の各画素に出力すべき電圧の値を算出し、その値の電圧をソース出力アンプから各ソース信号ラインＳに向けて出力する。その結果、選択されたゲート信号ラインＧ上の各画素に対してソース信号が供給され、ソース信号が書き込まれることとなる。
【００２９】
（共通電極駆動回路）
共通電極駆動回路１８は、複数の画素の各々に設けられている共通電極に対し、当該共通電極を駆動するための所定の共通電圧を供給する。
【００３０】
（タイミングコントローラ）
タイミングコントローラ１２には、外部（図１に示す例では、システム側コントロール部３０）から映像信号および制御信号が入力される。ここでいう映像信号とは、クロック信号、同期信号、画像データ信号を含んでいる。また、制御信号には、リフレッシュレートの変更指示が含まれる場合がある。そして、タイミングコントローラ１２は、この映像信号および制御信号に従って、図１において実線矢印で示されているように、各駆動回路が同期して動作するための各種制御信号を各駆動回路に対して出力する。
【００３１】
例えば、タイミングコントローラ１２は、走査線駆動回路１４に対して、ゲートスタートパルス信号、ゲートクロック信号ＧＣＫ、およびゲート出力制御信号ＧＯＥを供給する。走査線駆動回路１４は、ゲートスタートパルス信号を受け取ると、複数のゲート信号ラインＧの走査を開始する。そして、走査線駆動回路１４は、ゲートクロック信号ＧＣＫおよびゲート出力制御信号ＧＯＥに従って、各ゲート信号ラインＧに対して、順次オン電圧を供給していく。
【００３２】
また、タイミングコントローラ１２は、信号線駆動回路１６に対して、ソーススタートパルス信号、ソースラッチストローブ信号、およびソースクロック信号を出力する。信号線駆動回路１６は、ソーススタートパルス信号に基づいて、入力された各画素の画像データをソースクロック信号に従ってレジスタに蓄え、次のソースラッチストローブ信号に従って、各ソース信号ラインＳに対し、画像データに応じたソース信号を供給する。
【００３３】
（電源生成回路）
電源生成回路２８は、外部（図１に示す例では、システム側コントロール部３０）から供給された入力電源から、走査線駆動回路１４、信号線駆動回路１６、および共通電極駆動回路１８が必要とする電圧の各々を生成する。そして、図１において点線矢印で示されているように、電源生成回路２８は、走査線駆動回路１４、信号線駆動回路１６、および共通電極駆動回路１８の各々に対して、生成した電圧を供給する。
【００３４】
（表示装置１のさらなる機能）
ここで、表示装置１が備えるさらなる機能について説明する。表示装置１は、極性反転制御部２０、リフレッシュレート変更部２２、変更制御部２４、およびカウンタ２６をさらに備えている。図１に示す例では、上記各機能をタイミングコントローラ１２が実現するようにしているが、タイミングコントローラ１２以外の回路等によって上記各機能を実現するようにしてもよい。
【００３５】
（極性反転制御部２０）
極性反転制御部２０は、信号線駆動回路１６がソース信号を各画素に書き込む際の、極性反転方式を制御する。
【００３６】
極性反転制御部２０が制御する極性反転方式には、ソース信号の極性反転の時間的周期を規定するものと、ソース信号の極性反転の空間的周期を規定するものとが含まれる。
【００３７】
「ソース信号の極性反転の時間的周期」とは、表示パネル２において、何フレーム単位で、この表示パネル２に設けられた複数の画素の各々の極性を反転させるかを規定するものである。一方、「ソース信号の極性反転の空間的周期」とは、表示パネル２の表示面上の画素列方向および画素行方向において、何画素単位で、画素の極性を反転させるかを規定するものである。
【００３８】
信号線駆動回路１６は、極性反転制御部２０によって制御された極性反転方式（上記時間的周期および上記空間的周期）で、各画素にソース信号を書き込むこととなる。
【００３９】
（リフレッシュレート変更部２２）
リフレッシュレート変更部２２は、表示パネル２のリフレッシュレートを変更する。リフレッシュレートとは、表示パネル２の表示を書き換える頻度を示すものである。例えば、リフレッシュレートが「６０Ｈｚ」の場合は、１秒間に６０回表示パネル２の表示を書き換え（すなわち、１秒間に６０フレームを表示し）、リフレッシュレートが「１２０Ｈｚ」の場合は、１秒間に１２０回表示パネル２の表示を書き換える（すなわち、１秒間に１２０フレームを表示する）ということである。
【００４０】
一般的に、表示パネルにおいては、リフレッシュレートが高くなるほど、表示画質が良くなる一方、書き換えの頻度が高くなるために、消費電力が高くなる。したがって、例えば、動画を表示する場合や、高画質モードが選択された場合等、表示画質を優先する場合には、リフレッシュレートが高く設定され、静止画を表示する場合や、低消費電力モードが選択された場合等、低消費電力を優先する場合には、リフレッシュレートが低く設定される場合がある。
【００４１】
本実施形態では、表示装置１は、リフレッシュレートの変更指示を外部装置（例えば、システムコントロール部３０）から受け取り、これに応じて、リフレッシュレート変更部２２が、リフレッシュレートを変更する。これ以外に、リフレッシュレートの変更指示を、タイミングコントローラ１２が自ら発する場合もある。この場合、リフレッシュレート変更部２２は、タイミングコントローラ１２の決定に従い、リフレッシュレートを変更することとなる。なお、リフレッシュレートの変更指示をタイミングコントローラ１２が自ら発する場合も、本発明の“リフレッシュレートの変更指示を受け取った場合”の定義に含まれる。
【００４２】
表示パネル２のリフレッシュレートが変更されると、表示装置１の各部は、タイミングコントローラ１２からの各種制御信号に従って、変更後のリフレッシュレートで表示パネル２が表示動作を行うように、表示パネル２を駆動することとなる。
【００４３】
（変更制御部２４）
変更制御部２４は、リフレッシュレート変更部２２がリフレッシュレートを変更するタイミングを制御する。
【００４４】
既に説明したとおり、表示パネル２の各画素に対しては、正極データと負極データとが１または複数のフレーム単位で交互に書き込まれる。
【００４５】
変更制御部２４は、表示パネル２のリフレッシュレートの変更指示を、表示装置１が受け取った場合、各画素において、変更前のリフレッシュレートによる、正極データが書き込まれている時間と負極データが書き込まれている時間とが等しくなったタイミングで、リフレッシュレートの変更を行うように、リフレッシュレート変更部２２によるリフレッシュレートの変更を制御するのである。
【００４６】
これにより、各画素において、正極データが書き込まれている時間と、負極データが書き込まれている時間とが等しくなり、各画素における焼き付き等の不具合の発生を防止することが実現される。
【００４７】
（カウンタ２６）
カウンタ２６は、正極データおよび負極データが書き込まれた回数をカウントする。本実施形態では、カウンタ２６として、正極データが書き込まれた回数と負極データが書き込まれた回数との合計数が偶数であるか奇数であるかを出力する偶奇カウンタを用いている。変更制御部２４は、カウンタ２６からの出力を参照することによって、リフレッシュレートの変更を行うべきタイミングを決定することができる。
【００４８】
例えば、カウンタ２６は、上記合計数が偶数の場合にはその旨を示すＨｉｇｈレベル信号を出力し、上記合計数が奇数の場合にはその旨を示すＬｏｗレベル信号を出力する。但し、これに限らず、カウンタ２６が出力する信号は、少なくとも変更制御部２４によって上記合計数が偶数であるか奇数であるかを判別できるものであれば、どのような信号であってもよい。
【００４９】
（偶奇カウンタ）
本実施形態のようにカウンタ２６に偶奇カウンタを用いている場合、カウンタ２６は、極性反転の時間的周期と同期して（すなわち、極性反転が時間的に行われる毎に）、上記カウントを行ってもよい。例えば、極性反転の時間的周期として「１フレーム反転」を採用した場合、カウンタ２６は、１フレーム毎に上記カウントを行い、極性反転の時間的周期として「２フレーム反転」を採用した場合、２フレーム毎に上記カウントおよび上記信号の出力を行うといった具合である。これにより、変更制御部２４は、極性反転の時間的周期が「１フレーム反転」でなくとも、カウンタ２６からの出力信号（偶数および奇数）により、正極データの書き込み回数と、負極データの書き込み回数とが、等しいか否かを判定することができる。
【００５０】
（他のカウンタ）
なお、カウンタ２６には、正極データが書き込まれているフレーム数、および、負極データが書き込まれているフレーム数の各々をカウントするものを用いることもできる。この場合、変更制御部２４は、双方のフレーム数が等しい場合、または、双方のフレーム数の差が予め定められた数よりも小さい場合、リフレッシュレートの変更を行うべきタイミングであると判断することが好ましい。また、この場合、カウンタ２６は、走査期間とされたフレームだけでなく、休止期間とされたフレームもカウントを行うことが好ましい。休止期間にも各画素はデータが書き込まれている状態を保持しており、この休止期間もデータが書き込まれている期間として積算することが適切だからである。
【００５１】
（極性反転方式の具体例）
以下、図２および図３を参照して、極性反転方式について具体的に説明する。ここでは、表示パネル２に設けられた一部の画素である、６画素列×４画素行に配設された複数の画素を用いて、極性反転方式「ドット反転」および極性反転方式「ソース反転」のそれぞれについて説明する。
【００５２】
図２は、極性反転方式「ドット反転」によりソース信号が書き込まれた状態の表示パネル２を示す図である。一方、図３は、極性反転方式「ソース反転」によりソース信号が書き込まれた状態の表示パネル２を示す図である。
【００５３】
図２および図３において、「＋」が示されている画素は、その画素に対して正極データが書き込まれている状態を示し、「−」が示されている画素は、その画素に対して負極データが書き込まれている状態を示す。
【００５４】
また、図２および図３において、（ａ）と（ｂ）とでは、複数の画素の各々のソース信号の極性が反転している。
【００５５】
（極性反転の空間的周期）
図２に示すように、極性反転方式「ドット反転」によると各画素列における画素の配置は、表示パネルの空間方向（画素列方向および画素行方向）において、“＋，−，＋，−”、または“−，＋，−，＋”というように、１画素毎にソース信号の極性が反転した状態となる。
【００５６】
また、図３に示すように、極性反転方式「ソース反転」によると、各画素列における画素の配置は、“＋，＋，＋，＋”、または“−，−，−，−”というように、全ての画素のソース信号の極性が同一となる。また、各画素行における画素の配置は、“＋，−，＋，−”、または“−，＋，−，＋”というように、１画素毎にソース信号の極性が反転した状態となる。
【００５７】
（極性反転の時間的周期）
図２に示すように、極性反転の空間的周期として「ドット反転」を採用している場合において、極性反転の時間的周期として「１フレーム反転」を採用した場合、表示パネル２は、“図２の（ａ），図２の（ｂ），図２の（ａ），図２の（ｂ），・・・”というように、１フレーム毎に、各画素の極性が反転した状態となる。また、極性反転の時間的周期として「２フレーム反転」を採用した場合、“図２の（ａ），図２の（ａ），図２の（ｂ），図２の（ｂ），・・・”というように、２フレーム毎に、各画素の極性が反転した状態となる。
【００５８】
同様に、図３に示すように、極性反転の空間的周期として「ソース反転」を採用している場合において、極性反転の時間的周期として「１フレーム反転」を採用した場合、表示パネル２は、“図３の（ａ），図３の（ｂ），図３の（ａ），図３の（ｂ），・・・”というように、１フレーム毎に、各画素の極性が反転したものとなる。また、極性反転の時間的周期として「２フレーム反転」を採用した場合、“図３の（ａ），図３の（ａ），図３の（ｂ），図３の（ｂ），・・・”というように、２フレーム毎に、各画素の極性が反転したものとなる。
【００５９】
（リフレッシュレートの変更例）
次に、図４を参照して、実施形態に係る表示装置１によるリフレッシュレートの変更例を説明する。図４は、実施形態に係る表示装置１によるリフレッシュレートの変更例を示す概念図である。
【００６０】
図４は、表示装置１のある画素に対して、正極データおよび負極データのいずれが書き込まれるかをフレーム期間毎に示したものである。図４において、「＋」が示されているフレーム期間は、そのフレーム期間では上記画素に対して正極データが書き込まれることを示し、「−」が示されているフレーム期間は、そのフレーム期間では上記画素に対して負極データが書き込まれることを示している。特に、図４に示す例では、表示装置１において、極性反転の時間的周期として「１フレーム毎」が採用されている。したがって、図４に示す例では、上記画素の極性は、“＋，−，＋，−，・・・”というように、１フレーム毎に反転している。
【００６１】
この図４に例示するように、表示装置１がリフレッシュレートの変更指示を受けたタイミングにおいて、変更前のリフレッシュレートによる、正極データの書き込み回数と、負極データの書き込み回数とが等しい場合、変更制御部２４は、このタイミングで、リフレッシュレートを変更するように、リフレッシュレート変更部２２を制御する。
【００６２】
一方、表示装置１がリフレッシュレートの変更指示を受けたタイミングにおいて、変更前のリフレッシュレートによる、正極データの書き込み回数と、負極データの書き込み回数とが等しくない場合、変更制御部２４は、正極データの書き込み回数と、負極データの書き込み回数とが等しくなるタイミングで、リフレッシュレートを変更するように、リフレッシュレート変更部２２を制御する。
【００６３】
例えば、図４に示す例では、表示装置１は、第４フレームの終了後（タイミングｔ１）に、リフレッシュレートを３０Ｈｚに変更するように指示を受けている。このとき、変更前のリフレッシュレート（６０Ｈｚ）による、正極データの書き込み回数は２回であり、負極データの書き込み回数も２回である。したがって、カウンタ２６の出力は「偶数」となっている。
【００６４】
この出力に基づいて、変更制御部２４は、正極データの書き込み回数と、負極データの書き込み回数とが等しいと判断する。よって、変更制御部２４は、このタイミング（タイミングｔ１）で、リフレッシュレートを変更するように、リフレッシュレート変更部２２を制御する。これに応じて、リフレッシュレート変更部２２は、第５フレーム以降（タイミングｔ１以降）のリフレッシュレートを３０Ｈｚに変更する。
【００６５】
その後、表示装置１は、第７フレームの終了後（タイミングｔ２）に、リフレッシュレートを６０Ｈｚに変更するように指示を受けている。このとき、変更前のリフレッシュレート（３０Ｈｚ）による、正極データの書き込み回数は２回であり、負極データの書き込み回数は１回である。したがって、カウンタ２６の出力は「奇数」となっている。
【００６６】
この出力に基づいて、変更制御部２４は、正極データの書き込み回数と、負極データの書き込み回数とが等しくないと判断する。よって、変更制御部２４は、リフレッシュレートを変更するタイミングを１フレーム分遅延させて、正極データの書き込み回数と、負極データの書き込み回数とが等しくなるタイミング（タイミングｔ３）で、リフレッシュレートを変更するように、リフレッシュレート変更部２２を制御する。これに応じて、リフレッシュレート変更部２２は、第９フレーム以降（タイミングｔ３以降）のリフレッシュレートを６０Ｈｚに変更する。
【００６７】
さらに、表示装置１は、第９フレームの終了後（タイミングｔ４）に、リフレッシュレートを３０Ｈｚに変更するように指示を受けている。このとき、変更前のリフレッシュレート（６０Ｈｚ）による、正極データの書き込み回数は１回であり、負極データの書き込み回数は０回である。したがって、カウンタ２６の出力は「奇数」となっている。
【００６８】
この出力に基づいて、変更制御部２４は、正極データの書き込み回数と、負極データの書き込み回数とが等しくないと判断する。よって、変更制御部２４は、リフレッシュレートを変更するタイミングを１フレーム分遅延させて、正極データの書き込み回数と、負極データの書き込み回数とが等しくなるタイミング（タイミングｔ５）で、リフレッシュレートを変更するように、リフレッシュレート変更部２２を制御する。これに応じて、リフレッシュレート変更部２２は、第１１フレーム以降（タイミングｔ５以降）のリフレッシュレートを６０Ｈｚに変更する。
【００６９】
なお、本実施形態の表示装置１は、表示パネル２を駆動しない休止期間を設けることにより、表示パネル２のリフレッシュレートを下げている。例えば、図４に示されているように、表示パネル２のリフレッシュレートを「６０Ｈｚ」から「３０Ｈｚ」に変更する場合には、１／６０秒の走査期間と、１／６０秒の休止期間とを交互に設けることにより、表示パネル２のリフレッシュレートを「３０Ｈｚ」に変更する。
【００７０】
また、本実施形態の表示装置１は、１／６０秒の走査期間と、５９／６０秒の休止期間とを交互に設けることにより、表示パネル２のリフレッシュレートを「１Ｈｚ」に変更することも可能である。これ以外にも、本実施形態の表示装置１は、表示パネル２のリフレッシュレートを任意のリフレッシュレートに変更することも可能である。
【００７１】
このように、本実施形態に係る表示装置１は、休止期間を設けることによってリフレッシュレートを下げるので、休止期間を設けずにリフレッシュレートを下げるよりも、消費電力をより低減することが可能となっている。
【００７２】
特に、本実施形態に係る表示装置１は、後述するように、各画素に対してオフ特性が非常に優れている酸化物半導体を用いたＴＦＴを採用しており、各画素に画像データが書き込まれている状態を休止期間を含めて長時間維持することができるので、このような方法によりリフレッシュレートを下げた場合であっても、高い表示画質を維持することが可能となっている。
【００７３】
すなわち、本実施形態の表示装置１においては、上記休止期間も、直前の走査期間に書き込まれた画像データが各画素に保持されている。したがって、本実施形態の表示装置１において、「正極のソース信号が書き込まれている時間」は、正極データを書き込む走査期間とその直後の休止期間とを足し合わせたものを意味し、「負極のソース信号が書き込まれている時間」は、負極データを書き込む走査期間とその直後の休止期間とを足し合わせたものを意味する。
【００７４】
なお、リフレッシュレートを下げる方法は上記に限らず、走査期間の長さを調整することにより、リフレッシュレートを下げてもよい。例えば、表示パネル２のリフレッシュレートを「６０Ｈｚ」から「３０Ｈｚ」に変更する場合には、２／６０秒の走査期間を連続して設けることにより、表示パネル２のリフレッシュレートを「３０Ｈｚ」に変更してもよい。
【００７５】
このように、休止期間を設けない場合、本実施形態の表示装置１において、「正極のソース信号が書き込まれている時間」は、正極データを書き込む走査期間を意味し、「負極のソース信号が書き込まれている時間」は、負極データを書き込む走査期間を意味することとなる。
【００７６】
（リフレッシュレートの他の変更例）
次に、図５を参照して、実施形態に係る表示装置１によるリフレッシュレートの他の変更例を説明する。図５は、実施形態に係る表示装置１によるリフレッシュレートの他の変更例を示す概念図である。
【００７７】
図５に示す例では、表示装置１において、極性反転の時間的周期として「３フレーム毎」が採用されている点で、図４と異なる。したがって、図５に示す例では、対象画素の極性は、“＋，＋，＋，−，−，−，＋，＋，＋，・・・”というように、３フレーム毎に反転している。
【００７８】
この図５に例示するように、表示装置１がＮフレーム反転駆動を採用しており、かつ表示装置１がリフレッシュレートの変更指示を受けたタイミングにおいて、変更前のリフレッシュレートによる、正極データの書き込み回数と、負極データの書き込み回数とが等しくない場合、変更制御部２４は、以下条件（１）および条件（２）の双方を満たすタイミングで、リフレッシュレートを変更するように、リフレッシュレート変更部２２を制御する。
（１）正極データの書き込み回数と、負極データの書き込み回数とが等しくなる。（２）２Ｎの倍数となるフレームの終了後。
【００７９】
例えば、図５に示す例では、表示装置１は、第８フレームの終了後（タイミングｔ２）に、リフレッシュレートを６０Ｈｚに変更するように指示を受けている。このとき、変更前のリフレッシュレート（３０Ｈｚ）による、正極データの書き込み回数は２回であり、負極データの書き込み回数は０回である。
【００８０】
この場合、変更制御部２４は、上記条件（１）および上記条件（２）の双方を満たす第１２フレームの終了後まで、リフレッシュレートを変更するタイミングを遅延させて、このタイミング（タイミングｔ３）で、リフレッシュレートを変更するように、リフレッシュレート変更部２２を制御する。これに応じて、リフレッシュレート変更部２２は、第１３フレーム以降（タイミングｔ３以降）のリフレッシュレートを６０Ｈｚに変更する。
【００８１】
（効果）
以上説明したとおり、本実施形態に係る表示装置１は、表示パネルのリフレッシュレートの変更指示を受け取った場合、リフレッシュレートの変更タイミングを遅延させ、正極データの書き込みが行われた回数と負極データの書き込みが行われた回数とが等しくなったタイミングで、リフレッシュレートを変更する構成を採用している。
【００８２】
これにより、本実施形態に係る表示装置１は、表示パネル２の各画素において、正極データが書き込まれている時間と負極データが書き込まれている時間との時間差が無い状態で、表示パネル２のリフレッシュレートを変更することができるため、各画素における焼き付き等の不具合の発生を防止することができる。
【００８３】
（リフレッシュレートのさらに他の変更例）
次に、図６を参照して、実施形態に係る表示装置１によるリフレッシュレートのさらに他の変更例を説明する。図６は、実施形態に係る表示装置１によるリフレッシュレートのさらに他の変更例を示す概念図である。
【００８４】
図６に示す例では、表示装置１において、極性反転の時間的周期として「１フレーム毎」が採用されている点で、図４と同様である。したがって、図６に示す例では、対象画素の極性は、“＋，−，＋，−，・・・”というように、１フレーム毎に反転している。
【００８５】
この図６に例示するように、変更制御部２４は、リフレッシュレートの変更を行ったフレームの次のフレームに、リフレッシュレートの変更指示を受け取った場合、当該変更指示によるリフレッシュレートの変更は行わないように、リフレッシュレート変更部２２を制御する。
【００８６】
例えば、図６に示す例では、表示装置１は、第２フレームの終了後（タイミングｔ１）に、リフレッシュレートを６０Ｈｚに変更している。その後、第３フレームの終了後（タイミングｔ２）に、リフレッシュレートを変更するように指示を受けている。
【００８７】
この場合、変更制御部２４は、当該変更指示によるリフレッシュレートの変更は行わないように、リフレッシュレート変更部２２を制御する。したがって、リフレッシュレート変更部２２によるリフレッシュレートの変更は行われない。
【００８８】
この変更例によっても、表示装置１は、表示パネル２の各画素において、正極データが書き込まれている時間と負極データが書き込まれている時間との時間差が無い状態で、表示パネル２のリフレッシュレートを変更することができるため、各画素における焼き付き等の不具合の発生を防止することができる。
【００８９】
（表示パネル２の画素）
次に、実施形態に係る表示装置１が備える表示パネル２の画素について説明する。
【００９０】
本実施形態の表示装置１においては、表示パネル２が備える複数の画素の各々のＴＦＴとして、いわゆる酸化物半導体を用いたＴＦＴを採用しており、特に、上記酸化物半導体として、インジウム（Ｉｎ）、ガリウム（Ｇａ）、および亜鉛（Ｚｎ）から構成される酸化物である、いわゆるＩＧＺＯ（ＩｎＧａＺｎＯｘ）が用いられているＴＦＴを採用している。以下、酸化物半導体を用いたＴＦＴの優位性を説明する。
【００９１】
（ＴＦＴ特性）
図７は、酸化物半導体を用いたＴＦＴを含む、各種ＴＦＴの特性を示す図である。この図７では、酸化物半導体を用いたＴＦＴ、ａ−Ｓｉ（amorphous silicon）を用いたＴＦＴ、およびＬＴＰＳ（Low Temperature Poly Silicon）を用いたＴＦＴの各々の特性を示す。
【００９２】
図７において、横軸（Ｖｇｈ）は、上記各ＴＦＴにおいてゲートに供給されるオン電圧の電圧値を示し、縦軸（Ｉｄ）は、上記各ＴＦＴにおけるソース−ドレイン間の電流量を示す。
【００９３】
特に、図中において「ＴＦＴ−ｏｎ」と示されている期間は、オン電圧の電圧値に応じてオン状態となっている期間を示し、図中において「ＴＦＴ−ｏｆｆ」と示されている期間は、オン電圧の電圧値に応じてオフ状態となっている期間を示す。
【００９４】
図７に示すように、酸化物半導体を用いたＴＦＴは、ａ−Ｓｉを用いたＴＦＴよりも、オン状態の時の電子移動度が高い。
【００９５】
図示は省略するが、具体的には、ａ−Ｓｉを用いたＴＦＴは、そのＴＦＴ−ｏｎ時のＩｄ電流が１ｕＡであるのに対し、酸化物半導体を用いたＴＦＴは、そのＴＦＴ−ｏｎ時のＩｄ電流が２０〜５０ｕＡ程度である。
【００９６】
このことから、酸化物半導体を用いたＴＦＴは、ａ−Ｓｉを用いたＴＦＴよりも、オン状態の時の電子移動度が２０〜５０倍程度高く、オン特性が非常に優れていることが分かる。
【００９７】
既に説明したとおり、本実施形態の表示装置１は、このような酸化物半導体を用いたＴＦＴを各画素に採用している。これにより、本実施形態の表示装置１は、ＴＦＴのオン特性が優れているために、より小型のＴＦＴで画素を駆動することができるので、各画素において、ＴＦＴが占める面積の割り合いを小さくすることができる。すなわち、各画素における開口率を高め、バックライト光の透過率を高めることができる。その結果、消費電力が少ないバックライトを採用したり、バックライトの輝度を抑制したりすることができるので、消費電力を低減することができる。
【００９８】
また、ＴＦＴのオン特性が優れているために、各画素に対するソース信号の書き込み時間をより短時間化することもできるので、表示パネル２のリフレッシュレートを容易に高くすることができる。
【００９９】
また、図７に示すように、酸化物半導体を用いたＴＦＴは、オフ状態のときのリーク電流が、ａ−Ｓｉを用いたＴＦＴよりも少ない。
【０１００】
図示は省略するが、具体的には、ａ−Ｓｉを用いたＴＦＴは、そのＴＦＴ−ｏｆｆ時のＩｄ電流が１０ｐＡであるのに対し、酸化物半導体を用いたＴＦＴは、そのＴＦＴ−ｏｆｆ時のＩｄ電流が０．１ｐＡ程度である。
【０１０１】
このことから、酸化物半導体を用いたＴＦＴは、オフ状態のときのリーク電流が、ａ−Ｓｉを用いたＴＦＴの１／１００程度であり、リーク電流が殆ど生じない、オフ特性が非常に優れたものであることが分かる。
【０１０２】
これにより、本実施形態の表示装置１は、ＴＦＴのオフ特性が優れているために、表示パネルの複数の画素の各々のソース信号が書き込まれている状態を長期間維持することができるので、高い表示画質を維持しつつ、表示パネル２のリフレッシュレートを容易に低くすることができるのである。
【０１０３】
（各種条件に応じた判定方法の具体例）
表示装置１には、様々なカウンタ２６が採用され得る。また、表示装置１には、様々な極性反転周期が採用され得る。また、表示装置１は、走査期間を１フレーム毎とする場合もあるし、ｎフレーム毎とする場合もある。また、表示装置１は、休止期間を設けない場合もあるし、休止期間を１フレーム毎とする場合もあるし、休止期間をｎフレーム毎とする場合もある。これら各種条件は、正極データが書き込まれている時間と、負極データが書き込まれている時間とが等しいか否かを判定する判定方法にも影響を及ぼす。
【０１０４】
そこで、表示装置１は、これら各種条件に応じた判定方法を用いることにより、上記判定を行うことが好ましい。以下、図９を参照して、各種条件に応じた判定方法の具体例を説明する。図９は、実施形態に係る表示装置１による、各種条件に応じた判定方法の具体例を示す。図９の（ａ）〜（ｄ）に示す各具体例における、各種条件および判定方法は以下のとおりである。
【０１０５】
●図９の（ａ）：Ｃａｓｅ１
走査期間：１フレーム毎
休止期間：３フレーム毎
極性反転周期：１走査期間毎（休止期間には極性反転が行われない）
カウンタ２６：走査期間数（すなわち、書き込み回数）をカウントし、カウント数を「偶数」および「奇数」として出力することが可能
判定方法：カウンタ２６の出力が「偶数」の場合、「正極データが書き込まれている時間と、負極データが書き込まれている時間とが等しいと判定する。
【０１０６】
例えば、図９の（ａ）に示す例では、９番目のフレームにおいて、カウンタ２６の出力が「偶数」となっており、このとき、表示装置１は、「正極データが書き込まれている時間と、負極データが書き込まれている時間とが等しい（図中では「ＯＫ」と示されている）」と判定する。
【０１０７】
図９の（ａ）に示す例では、９番目のフレームにおいて、それ以前の、正極データが書き込まれているフレーム数は「４」であり、負極データが書き込まれているフレーム数も「４」である。従って、上記判定は適切であるといえる。
【０１０８】
●図９の（ｂ）：Ｃａｓｅ２
走査期間：３フレーム毎
休止期間：３フレーム毎
極性反転周期：１走査期間毎（休止期間には極性反転が行われない）
カウンタ２６：極性バランスをカウントすることが可能。具体的には、カウンタ２６は、正極のデータが書き込まれているフレームが１増加する毎に、１を加算し、負極のデータが書き込まれているフレームが１増加する毎に、１を減算することが可能
判定方法：カウンタ２６の出力が「±０」の場合、「正極データが書き込まれている時間と、負極データが書き込まれている時間とが等しいと判定する。
【０１０９】
例えば、図９の（ｂ）に示す例では、１２番目のフレームにおいて、カウンタ２６の出力が「±０」となっており、このとき、表示装置１は、「正極データが書き込まれている時間と、負極データが書き込まれている時間とが等しい（図中では「ＯＫ」と示されている）」と判定する。
【０１１０】
図９の（ｂ）に示す例では、１番目のフレームに正極データを書き込み、２番目のフレームに負極データを書き込み、３番目のフレームに正極データを書き込んでいるが、４〜６番目のフレームは休止期間であるために、この正極データが保持される。その後、７番目のフレームに負極データを書き込み、８番目のフレームに正極データを書き込み、９番目のフレームに負極データを書き込んでいるが、１０〜１２番目のフレームは休止期間であるために、この負極データが保持される。
【０１１１】
すなわち、１２番目のフレームにおいては、正極データが書き込まれているフレーム数は「６」であり、負極データが書き込まれているフレーム数も「６」である。従って、上記判定は適切であるといえる。
【０１１２】
●図９の（ｃ）：Ｃａｓｅ３
走査期間：１フレーム毎
休止期間：４フレーム毎
極性反転周期：１フレーム毎（休止期間にも極性反転が行われる）
カウンタ２６：Ｃａｓｅ３と同様に、極性バランスをカウントすることが可能
判定方法：カウンタ２６の出力が「±０」の場合、「正極データが書き込まれている時間と、負極データが書き込まれている時間とが等しいと判定する。
【０１１３】
例えば、図９の（ｃ）に示す例では、１０番目のフレームにおいて、カウンタ２６の出力が「±０」となっており、このとき、表示装置１は、「正極データが書き込まれている時間と、負極データが書き込まれている時間とが等しい（図中では「ＯＫ」と示されている）」と判定する。
【０１１４】
図９の（ｃ）に示す例では、１番目のフレームに正極データを書き込んでいるが、２〜４番目のフレームは休止期間であるため、この正極データが保持される。図中では、２〜４番目のフレームにおいて、極性反転が行われているが、これはソース出力アンプの極性を示すものであり、実際には、この極性のデータが書き込まれるわけでなく、１番目のフレームの正極データが保持される。
【０１１５】
その後、６番目のフレームに負極データを書き込んでいるが、７〜１０番目のフレームは休止期間であり、この負極データが保持される。図中では、７〜１０番目のフレームにおいて、極性反転が行われているが、これはソース出力アンプの極性を示すものであり、実際には、この極性のデータが書き込まれるわけでなく、６番目のフレームの負極データが保持される。
【０１１６】
すなわち、１０番目のフレームにおいては、正極データが書き込まれているフレーム数は「５」であり、負極データが書き込まれているフレーム数も「５」である。従って、上記判定は適切であるといえる。
【０１１７】
●図９の（ｄ）：Ｃａｓｅ４
走査期間：３フレーム毎
休止期間：４フレーム毎
極性反転周期：１フレーム毎（休止期間にも極性反転が行われる）
カウンタ２６：極性バランスをカウントすることが可能
判定方法：カウンタ２６の出力が「±０」の場合、「正極データが書き込まれている時間と、負極データが書き込まれている時間とが等しいと判定する。
【０１１８】
例えば、図９の（ｄ）に示す例では、１４番目のフレームにおいて、カウンタ２６の出力が「±０」となっており、このとき、表示装置１は、「正極データが書き込まれている時間と、負極データが書き込まれている時間とが等しい（図中では「ＯＫ」と示されている）」と判定する。
【０１１９】
図９の（ｄ）に示す例では、１番目のフレームに正極データを書き込み、２番目のフレームに負極データを書き込み、３番目のフレームに正極データを書き込んでいるが、４〜７番目のフレームは休止期間であるために、この正極データが保持される。図中では、４〜７番目のフレームにおいて、極性反転が行われているが、これはソース出力アンプの極性を示すものであり、実際には、ここに示す極性のデータが書き込まれるわけでなく、３番目のフレームの正極データが保持される。
【０１２０】
その後、８番目のフレームに負極データを書き込み、９番目のフレームに正極データを書き込み、１０番目のフレームに負極データを書き込んでいるが、１１〜１４番目のフレームは休止期間であるために、この負極データが保持される。図中では、１１〜１４番目のフレームにおいて、極性反転が行われているが、これはソース出力アンプの極性を示すものであり、実際には、ここに示す極性のデータが書き込まれるわけでなく、１０番目のフレームの負極データが保持される。
【０１２１】
すなわち、１４番目のフレームにおいては、正極データが書き込まれているフレーム数は「７」であり、負極データが書き込まれているフレーム数も「７」である。従って、上記判定は適切であるといえる。
【０１２２】
（補足説明）
以上、本発明の実施形態について説明したが、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１２３】
例えば、実施形態に示した、リフレッシュレート、ソース信号の極性反転の時間的周期、ソース信号の極性反転の空間的周期等の各設定値は、単なる例示にしか過ぎない。したがって、これらの設定値は、表示装置の特性や使用目的等により、当然、適切な値に変更され得るものである。
【０１２４】
また、実施形態では、酸化物半導体（特に、ＩＧＺＯ）を用いたＴＦＴを各画素に採用している表示装置へ本発明を適用する例を説明したが、これに限らず、ａ−Ｓｉを用いたＴＦＴや、ＬＴＰＳを用いたＴＦＴ等の、他のＴＦＴを各画素に採用している表示装置にも、本発明を適用することができる。
【０１２５】
また、実施形態では、タイミングコントローラ１２が備えるカウンタ２６として、正極データの書き込み回数と負極データの書き込み回数との合計数が偶数であるか奇数であるかを出力する偶奇カウンタを用いているが、上記合計数を出力するカウンタを用いてもよい。または、カウンタ２６として、正極データの書き込み回数と、負極データの書き込み回数とをそれぞれ出力するカウンタを用いてもよい。または、カウンタ２６として、正極データが書き込まれているフレーム数と、負極データが書き込まれているフレーム数とをそれぞれ出力するカウンタを用いてもよい。いずれの場合でも、変更制御部２４は、正極データが書き込まれている時間と、負極データが書き込まれている時間とが平衡するか否かを容易に判断することができる。
【０１２６】
なお、実施形態の表示装置は、少なくとも、正極データが書き込まれている時間と負極データが書き込まれている時間が平衡するタイミングでリフレッシュレートを変更する構成であれば、実施形態で説明した構成に限らず、どのような構成を採用してもよい。
【０１２７】
例えば、実施形態の表示装置は、正極データの書き込み回数および負極データの書込み回数をそれぞれカウントし、双方が等しくなるタイミング、または、双方の差が予め定められた閾値よりも小さくなるタイミングで、リフレッシュレートを変更してもよい。
【０１２８】
また、実施形態の表示装置は、正極データが書き込まれているフレーム数および負極データが書き込まれているフレーム数をそれぞれカウントし、双方が等しくなるタイミング、または、双方の差が予め定められた閾値よりも小さくなるタイミングで、リフレッシュレートを変更してもよい。
【０１２９】
また、実施形態の表示装置は、正極データが書き込まれている時間および負極データが書き込まれている時間をそれぞれ算出し、双方が等しくなるタイミング、または、双方の差が予め定められた閾値よりも小さくなるタイミングで、リフレッシュレートを変更してもよい。
【０１３０】
いずれの場合も、実施形態の表示装置は、各画素における焼き付き等の表示不具合が発生し難いタイミングで、表示パネルのリフレッシュレートを変更することができる。
【０１３１】
〔まとめ〕
上述のように、本発明の一態様に係る駆動装置は、複数の画素を有する表示パネルを駆動する駆動装置であって、前記表示パネルの少なくとも１つの画素に対して、正極のソース信号と負極のソース信号とを１または複数のフレーム単位で交互に書き込みを行っている際に、前記表示パネルのリフレッシュレートの変更指示を受け取った場合、前記少なくとも１つの画素において、前記正極のソース信号が書き込まれている時間と、前記負極のソース信号が書きこまれている時間とが平衡するタイミングで、前記リフレッシュレートを変更するリフレッシュレート変更手段を備えることを特徴とする。
【０１３２】
上記構成において、「平衡する」とは、上記両時間が等しくなることを意味するが、これに限らず、例えば、焼き付き等の表示不具合の発生要因とならない程度であれば、上記両時間が異なる場合も含まれる。したがって、この駆動装置によれば、各画素における焼き付き等の表示不具合が発生し難いタイミングで、表示パネルのリフレッシュレートを変更することができる。
【０１３３】
なお、上記構成は、“少なくとも１つの画素に対して、正極のソース信号と負極のソース信号とを１または複数のフレーム単位で交互に書き込みを行う”という反転駆動方式に関するものであり、当該反転駆動方式には、ドット反転駆動方式、ソース反転駆動方式、フレーム反転駆動方式等、様々な反転駆動方式が含まれる。
【０１３４】
上記駆動装置において、前記リフレッシュレート変更手段は、前記少なくとも１つの画素において、前記正極のソース信号が書き込まれている時間と前記負極のソース信号が書き込まれている時間との差が、予め定められた時間よりも短くなるタイミングで、前記リフレッシュレートを変更することが好ましい。
【０１３５】
この構成によれば、正極のソース信号が書き込まれている時間と負極のソース信号が書き込まれている時間とを比較するといった簡単な構成により、リフレッシュレートを変更すべきか否かを容易に判定することができる。
【０１３６】
上記構成において、「予め定められた時間」とは、例えば、焼き付き等の表示不具合の発生要因とならない程度の、正極データが書き込まれている時間と負極データが書き込まれている時間との差の許容範囲を示すものである。したがって、この駆動装置によれば、各画素における焼き付き等の表示不具合が発生し難いタイミングで、表示パネルのリフレッシュレートを変更することができる。
【０１３７】
上記駆動装置において、前記リフレッシュレート変更手段は、前記少なくとも１つの画素において、前記正極のソース信号が書き込まれている時間と前記負極のソース信号の書き込まれている時間とが等しくなるタイミングで、前記リフレッシュレートを変更することが好ましい。
【０１３８】
この構成によれば、正極データが書き込まれている時間と負極データが書き込まれている時間とが等しくなるタイミング、すなわち、焼き付き等の表示不具合が発生し得ないタイミングで、リフレッシュレートを変更することができる。
【０１３９】
上記駆動装置において、前記リフレッシュレート変更手段は、前記正極のソース信号と前記負極のソース信号とを１フレーム単位で交互に書き込むフレーム反転駆動時において、前記変更指示を受け取った場合、前記正極のソース信号が書き込まれた回数と前記負極のソース信号が書き込まれた回数との合計数が偶数となるタイミングで、前記リフレッシュレートを変更することが好ましい。
【０１４０】
この構成によれば、複雑な演算処理等を行うことなく、上記合計数が偶数であるか否かを判定するだけで、リフレッシュレートを変更すべきか否かを容易に判定することができる。
【０１４１】
また、上記駆動装置において、前記リフレッシュレート変更手段は、前記変更指示を受け取った場合、前記正極のソース信号が書き込まれたフレーム数と当該正極のソース信号が保持されたフレーム数との合計数と、前記負極のソース信号が書き込まれたフレーム数と当該負極のソース信号が保持されたフレーム数との合計数とが等しくなるタイミングで、前記リフレッシュレートを変更することが好ましい。
【０１４２】
この構成によれば、休止期間等のソース信号の書込みを行わないフレーム期間が含まれている場合であっても、正極のソース信号が書き込まれている時間と負極のソース信号が書き込まれている時間とが等しいか否かを適切に判断することができる。
【０１４３】
また、上記駆動装置において、前記リフレッシュレート変更手段は、前記正極のソース信号と前記負極のソース信号とを１フレーム単位で交互に書き込むフレーム反転駆動時において、前記変更指示を受け取ったときに、前記正極のソース信号が書き込まれているフレーム数と前記負極のソース信号が書き込まれているフレーム数とが等しくない場合、前記変更のタイミングを１フレーム遅延させることが好ましい。
【０１４４】
この構成によれば、複雑な演算処理等を行うことなく、変更のタイミングを１フレーム遅延させるだけで、正極データが書き込まれている時間と、負極データが書き込まれている時間とを容易に揃えることができる。
【０１４５】
また、上記駆動装置において、前記リフレッシュレート変更手段は、前記正極のソース信号と前記負極のソース信号とをＮフレーム単位で交互に書き込むフレーム反転駆動時において、前記変更指示を受け取ったときに、前記正極のソース信号が書き込まれているフレーム数と前記負極のソース信号が書き込まれているフレーム数とが等しくない場合、前記変更のタイミングを２Ｎの倍数となるフレームまで遅延させることが好ましい。
【０１４６】
この構成によれば、複雑な演算処理等を行うことなく、変更のタイミングを容易に特定することができる。
【０１４７】
また、上記駆動装置において、前記リフレッシュレート変更手段は、前記リフレッシュレートの変更を行ったフレームの次のフレームに、前記変更指示を受け取った場合、当該変更指示による前記リフレッシュレートの変更は行わないことが好ましい。
【０１４８】
この構成によっても、正極データが書き込まれている時間と、負極データが書き込まれている時間との時間差の発生を防止することができる。
【０１４９】
また、上記駆動装置において、前記リフレッシュレート変更手段は、前記表示パネルの駆動を休止する休止期間を設けることにより、前記リフレッシュレートを低下させることが好ましい。
【０１５０】
この構成によれば、休止期間を設けずにリフレッシュレートを下げるよりも、消費電力をより低減することができる。
【０１５１】
また、本発明の一態様に係る表示装置は、複数の画素を有する表示パネルと、上記駆動装置を備えたことを特徴とする。
【０１５２】
この表示装置によれば、上記駆動装置と同様の効果を奏する表示装置を提供することができる。
【０１５３】
上記表示装置において、前記複数の画素の各々のＴＦＴの半導体層には、酸化物半導体が用いられていることが好ましい。特に、上記表示装置において、前記酸化物半導体は、ＩＧＺＯであることが好ましい。
【０１５４】
この構成によれば、各画素のオン特性およびオフ特性が非常に優れたものとなり、リフレッシュレートの増減が容易になるため、正極のソース信号と負極のソース信号との書き込み時間差が大きくなり易く、よって、この時間差を解消する必要性が高くなる。このため、このような表示装置において本発明を適用することにより、より有用な効果を奏することができる。
【産業上の利用可能性】
【０１５５】
本発明の一態様に係る表示装置は、液晶表示装置、有機ＥＬ表示装置、および電子ペーパー等の各種表示装置において利用可能であり、特に、アクティブマトリクス方式を採用した各種表示装置において好適に利用可能である。
【符号の説明】
【０１５６】
１        表示装置
２        表示パネル
１０      ディスプレイ駆動回路（駆動装置）
１２      タイミングコントローラ
１４      走査線駆動回路
１６      信号線駆動回路
１８      共通電極駆動回路
２０      極性反転制御部
２２      リフレッシュレート変更部
２４      変更制御部（フレーム周波数切替制御手段）
２６      カウンタ
２８      電源生成回路
３０      システム側コントロール部
【図１】
2013125406.tif 000003
【図２】
2013125406.tif 000004
【図３】
2013125406.tif 000005
【図４】
2013125406.tif 000006
【図５】
2013125406.tif 000007
【図６】
2013125406.tif 000008
【図７】
2013125406.tif 000009
【図８】
2013125406.tif 000010
【図９】
2013125406.tif 000011
【手続補正書】
【提出日】平成26年8月4日(2014.8.4)
【手続補正１】
【補正対象書類名】特許請求の範囲
【補正対象項目名】全文
【補正方法】変更
【補正の内容】
【特許請求の範囲】
【請求項１】
複数の画素を有する表示パネルを駆動する駆動装置であって、
前記表示パネルの少なくとも１つの画素に対して、正極のソース信号と負極のソース信号とを１または複数のフレーム単位で交互に書き込みを行っている際に、前記表示パネルのリフレッシュレートの変更指示を受け取った場合、前記少なくとも１つの画素において、前記正極のソース信号が書き込まれている時間と、前記負極のソース信号が書きこまれている時間とが平衡するタイミングで、前記リフレッシュレートを変更するリフレッシュレート変更手段
を備えることを特徴とする駆動装置。
【請求項２】
前記リフレッシュレート変更手段は、
前記少なくとも１つの画素において、前記正極のソース信号が書き込まれている時間と前記負極のソース信号が書き込まれている時間との差が、予め定められた時間よりも短くなるタイミングで、前記リフレッシュレートを変更する
ことを特徴とする請求項１に記載の駆動装置。
【請求項３】
前記リフレッシュレート変更手段は、
前記少なくとも１つの画素において、前記正極のソース信号が書き込まれている時間と前記負極のソース信号の書き込まれている時間とが等しくなるタイミングで、前記リフレッシュレートを変更する
ことを特徴とする請求項２に記載の駆動装置。
【請求項４】
前記リフレッシュレート変更手段は、
前記正極のソース信号と前記負極のソース信号とを１フレーム単位で交互に書き込むフレーム反転駆動時において、前記変更指示を受け取った場合、前記正極のソース信号が書き込まれた回数と前記負極のソース信号が書き込まれた回数との合計数が偶数となるタイミングで、前記リフレッシュレートを変更する
ことを特徴とする請求項３に記載の駆動装置。
【請求項５】
前記リフレッシュレート変更手段は、
前記変更指示を受け取った場合、前記正極のソース信号が書き込まれたフレーム数と当該正極のソース信号が保持されたフレーム数との合計数と、前記負極のソース信号が書き込まれたフレーム数と当該負極のソース信号が保持されたフレーム数との合計数とが等しくなるタイミングで、前記リフレッシュレートを変更する
ことを特徴とする請求項３に記載の駆動装置。
【請求項６】
前記リフレッシュレート変更手段は、
前記正極のソース信号と前記負極のソース信号とを１フレーム単位で交互に書き込むフレーム反転駆動時において、前記変更指示を受け取ったときに、前記正極のソース信号が書き込まれているフレーム数と前記負極のソース信号が書き込まれているフレーム数とが等しくない場合、前記変更のタイミングを１フレーム遅延させる
ことを特徴とする請求項３に記載の駆動装置。
【請求項７】
前記リフレッシュレート変更手段は、
前記正極のソース信号と前記負極のソース信号とをＮフレーム単位で交互に書き込むフレーム反転駆動時において、前記変更指示を受け取ったときに、前記正極のソース信号が書き込まれているフレーム数と前記負極のソース信号が書き込まれているフレーム数とが等しくない場合、前記変更のタイミングを２Ｎの倍数となるフレームまで遅延させる
ことを特徴とする請求項３に記載の駆動装置。
【請求項８】
前記リフレッシュレート変更手段は、
前記リフレッシュレートの変更を行ったフレームの次のフレームに、前記変更指示を受け取った場合、当該変更指示による前記リフレッシュレートの変更は行わない
ことを特徴とする請求項３から７のいずれか一項に記載の駆動装置。
【請求項９】
前記リフレッシュレート変更手段は、
前記表示パネルの駆動を休止する休止期間を設けることにより、前記リフレッシュレートを低下させる
ことを特徴とする請求項１から８のいずれか一項に記載の駆動装置。
【請求項１０】
複数の画素を有する表示パネルと、
請求項１から９のいずれか一項に記載の駆動装置を備えたことを特徴とする表示装置。
【請求項１１】
前記複数の画素の各々のＴＦＴの半導体層には、酸化物半導体が用いられていることを特徴とする請求項１０に記載の表示装置。
【請求項１２】
前記酸化物半導体は、ＩｎＧａＺｎＯｘであることを特徴とする請求項１１に記載の表示装置。
【国際調査報告】
2013125406.tif 000012
2013125406.tif 000013
2013125406.tif 000014